(57)【特許請求の範囲】
【請求項１】
−サポートを構成し、配電システム（４）に接続された固定部（１）と、
−前記固定部を介して前記配電システムに接続されるように設計された少なくとも一つの電気開閉装置（７）と、前記電気開閉装置と関連し、電流を表す信号を受信する処理ユニット（10）とを含み、前記固定部によって支持されるように設計された取り外し可能部（２）と、
−前記取り外し可能部（２）の要素を、前記固定部（１）および前記配電システム（４）に接続するための接続および切断が容易なように設計された第一の接続手段（３、８）とを含む引出し電気開閉装置であって、この装置が：
−前記固定部内に配置された前記取り外し可能部の前記処理ユニットのパラメータを設定するためのパラメータセッティング手段（18、33）と、
−前記固定部の前記パラメータセッティング手段を前記取り外し可能部の前記処理ユニットに接続するための接続手段（５、14、19、20、21、22、35、36）とを含み、
−前記パラメータセッティング手段が動作パラメータを前記処理ユニットに供給することを特徴とする引出し電気開閉装置。
【請求項２】
前記パラメータセッティング手段が、第一の記憶手段（33）を含むことを特徴とする請求項１に記載の引出し電気開閉装置。
【請求項３】
前記パラメータセッティング手段が、電流閾値および時間遅延値を表すパラメータを供給することを特徴とする請求項１あるいは２のいずれかに記載の引出し電気開閉装置。
【請求項４】
前記処理ユニット（10）が、前記第一の接続手段の切断の前に、第一の記憶手段に格納すべきパラメータを供給することを特徴とする請求項２あるいは３のいずれかに記載の引出し電気開閉装置。
【請求項５】
前記処理ユニット（10）が、電気保護関数を処理するための手段を含むことを特徴とする請求項１から４のいずれかに記載の引出し電気開閉装置。
【請求項６】前記パラメータセッティング手段が、通信回路（15、16）に接続されるように設計されたアドレス指定手段を含み、前記通信回路が前記処理ユニットと通信網（６）に接続されるように設計されていることを特徴とする請求項１から５のいずれかに記載の引出し電気開閉装置。
【請求項７】
前記通信回路（15、23）が、取り外し可能部（２）内に配置されることを特徴とする請求項６に記載の引出し電気開閉装置。
【請求項８】
前記通信回路（16）が、固定部（１）内に配置されることを特徴とする請求項６に記載の引出し電気開閉装置。
【請求項９】
−前記取り外し可能部（２）内に配置され、接続および切断が容易なように設計され接続手段（５、14）を介して前記処理ユニットおよび前記通信網（６）に接続された第一の通信回路（23）、
−前記取り外し可能部内に配置され、前記第一の通信回路（23）に接続された、第一のアドレス（AD1）を前記第一の通信回路に供給する第一のアドレス指定手段（24）、および
−前記固定部内に配置され、前記取り外し可能部の前記第一の通信回路（23）に接続されるように設計された、第二のアドレス（AD2）を前記第一の通信回路に供給する第二のアドレス指定手段（18）を含むことを特徴とする請求項６に記載の引出し電気開閉装置。
【請求項１０】
−前記取り外し可能部（２）内に配置され、接続および切断（取り外し）が容易になるように設計された接続手段（５、14）を介して前記処理ユニットおよび前記通信網（６）に接続された第一の通信回路（23）を含み、この第一の通信回路（23）が、第一および第二のアドレス入力を持ち、さらに
−前記取り外し可能部内に配置され、前記第一の通信回路（23）の前記第一のアドレス入力に接続された第一のアドレス指定手段（24）を含み、この第一のアドレス指定手段が第一のアドレス（AD1）を前記第一の通信回路に供給し、さらに
−前記固定部（１）内に配置され、かつ前記通信網（６）に接続され、前記第一の通信回路（23）の前記第二のアドレス入力に接続されたアドレス出力を持つ第二の通信回路（17）を含み、この第二の通信回路（17）が第二のアドレス（AD2）を前記第一の通信回路（23）に供給し、さらに
−前記固定部内に配置され、前記固定部の第二の通信回路（17）に接続された第二のアドレス指定手段（18）を含み、この第二のアドレス指定手段（18）が第三のアドレス（AD3）を前記通信回路に供給することを特徴とする請求項６に記載の引出し電気開閉装置。
【請求項１１】
前記第二の通信回路（17）によって前記第一の通信回路（23）に供給される第二のアドレス（AD2）が、前記第二のアドレス指定手段（18）によって前記第二の通信回路（17）に供給される第三のアドレス（AD3）と同一であることを特徴とする請求項10に記載の引出し電気開閉装置。
【請求項１２】
前記第一の通信回路（23）が通信アドレス（ADCOM）、および前記通信アドレスを初期化するための手段（25〜28）を含み、この初期化手段が前記通信アドレス（ADCOM）を、前記第二のアドレス指定入力に受信される前記第二のアドレス（AD2）の値に等しい優先的に初期化し、前記第二のアドレスが有効でない場合は、これを前記第一の入力に受信される前記第一のアドレス（AD1）の値に等しい値に初期化することを特徴とする請求項９から11のいずれかに記載の引出し電気開閉装置。
【請求項１３】
前記固定部内に配置され、前記第二の通信回路（17）に接続された第一の状態センサ（31）を含むことを特徴とする請求項10から12のいずれかに記載の引出し電気開閉装置。
【請求項１４】
前記第一の記憶手段（33）が、前記固定部内に配置され、前記第二の通信回路（17）に接続されることを特徴とする請求項10から13のいずれかに記載の引出し電気開閉装置。
【請求項１５】
前記第一の記憶手段（33）が、前記通信網（６）から初期動作パラメータを受信することを特徴とする請求項14に記載の引出し電気開閉装置。
【請求項１６】
前記第一の記憶手段（33）が、前記セッティング手段（11）による前記処理ユニットの設定の度に、動作パラメータをメモリに格納することを特徴とする請求項２から15のいずれかに記載の引出し電気開閉装置。
【請求項１７】
前記取り外し可能部内に配置され、前記第一の通信回路（23）に接続された第二の状態センサ（32）を含むことを特徴とする請求項９から16のいずれかに記載の引出し電気開閉装置。
【請求項１８】
前記取り外し可能部内に配置され、前記第一の通信回路（23）に接続された第二の記憶手段（34）を含むことを特徴とする請求項９から17のいずれかに記載の引出し電気開閉装置。
【請求項１９】
前記取り外し可能部が、好ましくは引出しタイプの回路ブレーカであることを特徴とする請求項１から18のいずれかに記載の引出し電気開閉装置。
【請求項２０】
請求項９から19のいずれかに記載の引出し電気開閉装置の通信回路の初期化手順であって、前記第一の通信回路が
−第一のステップ（25）において前記第二のアドレス（AD2）の値を読み出し、
−第二のステップ（26）において、前記第二のアドレス（AD2）の有効性をチェックし、
−前記第二のアドレスが有効である場合、第三のステップ（27）において、前記通信アドレス（ADCOM）に前記第二のアドレスの値をロードし、
−前記第二のアドレス（AD2）が有効でない場合、第四のステップ（28）において、前記第一のアドレス（AD1）の値を読み出し、
−第五のステップ（29）において、前記通信アドレス（ADCOM）に前記第一のアドレス（AD1）の値をロードすることを特徴とする手順。
【請求項２１】
請求項９から19のいずれかに記載の引出し電気開閉装置の処理ユニットの動作手順であって、
−前記パラメータセッティング手段のパラメータをチェックするステップ（38）、
−前記パラメータが有効である場合に前記動作パラメータを回復するステップ（40）、
−動作ステップ（43）、および
−前記パラメータを前記パラメータセッティング手段内に格納するステップ（45）を含むことを特徴とする動作手順。
【発明の詳細な説明】
発明の背景
本発明は：
−配電システムに固定された固定部と、
−前記固定部を介して前記配電システムに接続されるように設計された少なくとも一つの電気開閉装置を含む取り外し可能部と、
−前記取り外し可能部の要素を、前記固定部および前記配電システムに接続するための接続および切断（取り外し）が容易なように設計された第一の接続手段と、
−この電気開閉装置と関連し、前記取り外し可能部内に配置される処理ユニットを含む電気開閉装置に関する。
従来の電気開閉装置は、配電システムに永久的な方法にて接続された固定部と、この固定部に容易に接続および切断（取り外し）が可能な取り外し可能部を含む。回路ブレーカである場合は、固定部は、配電システムに接続された固定されたコネクタを持つフケームあるいはサポートである。取り外し可能部は、固定されたコネクタに接続されるように設計された接続スタッドを持つ回路ブレーカである。
周知のように、回路ブレーカ、接触器、スイッチ等の取り外し可能部は、補助回路あるいは指示回路を含む。これら補助回路は、固定部と取り外し可能部の間に配置された差込みコンタクトを介して監視あるいは制御回路に接続される。
回路ブレーカは、セッティングデバイスを備える電子処理ユニットを含む。これらセッティングは、一例として、トリッピング曲線に関し、このためには、電流閾値および遅延値パラメータを設定することが要求される。これらセッティングが複雑な場合、処理ユニットは、これらセッティングパラメータをメモリに格納する。
また、通信デバイスを電気開閉装置内に装備することも知られている。これらデバイスは、通常は、装置の状態、電力システムを流れる電流、制御命令等に関する情報を送信あるいは受信するために用いられる。
これら通信デバイスは、取り外し可能部上に配置され、一例として電気トリップデバイスに接続される。開閉装置が回路ブレーカである場合は、通信デバイスは、固定部と取り外し可能部の間に配置された差込み（プラグイン）コンタクトを介して通信網に接続される。好ましくは、通信網は２本のワイヤバスを有する。
複数の通信デバイスが通信バスに接続される場合は、各デバイスは、それが送信あるいは受信するメッセージを識別するためのアドレス指定手段を含む。これらアドレス指定手段は、例えば、サムホイール（thumb−wheels）、複数のコンタクトのブロック、電子メモリ等である。
電気開閉装置の取り外し可能部は、電気設備の保守要員によって容易に切断（取り外し）および交換できるように設計される。この保守要員が、回路ブレーカ等の電気開閉装置を、簡単かつ高信頼に、電子回路ブレーカあるいは通信デバイスの複雑なセッティングに関する作業を必要とすることなく交換できることが要望される。
ただし、複雑なトリップデバイスあるいは通信デバイスを含む開閉装置では、交換の度に煩雑な作業を行なうことが要求され、この作業は、主として、全ての処理ユニットのセッティングと、特に、通信アドレスの構成を含む。
発明の要約
本発明の目的は、取り外し可能部を含む、取り外し可能部の交換の際に手作業による構成が必要とされない引出し電気開閉装置を実現することにある。
本発明によると、この電気開閉装置は：
−前記固定部内に配置された前記取り外し可能部の処理ユニットのパラメータを設定するためのパラメータセッティング手段、および
−前記固定部の前記パラメータセッティング手段を前記取り外し可能部の処理ユニットに接続するための接続手段を含み、
−前記パラメータセッティング手段は動作パラメータを前記処理ユニットに供給する。
好ましくは、前記パラメータセッティング手段は、第一の記憶手段を含む。
本発明によるある特定の実施例によると、前記パラメータセッティング手段は電流閾値および時間遅延値を表すパラメータを供給する。
好ましくは、前記処理ユニットは、前記第一の接続手段の切断（取り外し）の前に、第一の記憶手段に格納されるべきパラメータを供給する。
前記処理ユニットは、電気保護関数を処理するための手段を含む。
本発明の一つの好ましい実施例によると、前記パラメータセッティング手段は、通信回路に接続されるように設計されたアドレス指定手段を含み、この通信回路は、前記処理ユニットと、通信網に接続されるように設計される。
本発明の第一の実施例によると、前記通信回路は取り外し可能部内に配置される。
本発明の第二の実施例によると、前記通信回路は、固定部内に配置される。
本発明の第三の実施例によると、この電気開閉装置は：
−前記取り外し可能部内に配置され、接続および切断（取り外し）が容易なように設計された接続手段を介して前記処理ユニットおよび前記通信網に接続された第一の通信回路、
−前記取り外し可能部内に配置され、前記第一の通信回路に接続され、第一のアドレスを前記第一の通信回路に供給する第一のアドレス指定手段、および
−前記固定部内に配置され、前記取り外し可能部の前記第一の通信回路に接続されるように設計された、第二のアドレスを前記第一の通信回路に供給する第二のアドレス指定手段を含む。
本発明の第四の実施例によると、この電気開閉装置は：
−前記取り外し可能部内に配置され、接続および切断（取り外し）が容易なように設計された接続手段を介して前記処理ユニットおよび前記通信網に接続された第一の通信回路を含み、この第一の通信回路は、第一および第二のアドレス入力を持ち、この装置はさらに
−前記取り外し可能部内に配置され、前記第一の通信回路の前記第一のアドレス入力に接続された第一のアドレス指定手段を含み、この第一のアドレス指定手段は第一のアドレスを前記第一の通信回路に供給し、この装置はさらに
−前記固定部に配置され、かつ前記通信網に接続され、前記第一の通信回路の前記第二のアドレス入力に接続されたアドレス出力を持つ第二の通信回路を含み、この第二の通信回路は第二のアドレスを前記第一の通信回路に供給し、この装置はさらに
−前記固定部内に配置され、前記固定部の第二の通信回路に接続された第二のアドレス指定手段を含み、この第二のアドレス指定手段は第三のアドレスを前記通信回路に供給する。
好ましくは、前記第二の通信回路によって前記第一の通信回路に供給される第二のアドレスは、前記第二のアドレス指定手段によって前記第二の通信回路に供給される第三のアドレスと同一とされる。
前記第一の通信回路は、通信アドレスおよび前記通信アドレスを初期化するための手段を含み、この初期化手段は、前記通信アドレスを、前記第二のアドレス指定入力に受信される前記第二のアドレスの値に等しい値に優先的に初期化し、前記第二のアドレスが有効でない場合は、これを前記第一の入力に受信される前記第一のアドレスの値に等しい値に初期化する。
本発明の幾つかの発展した実施例によると、この電気開閉装置は：
−前記固定部内に配置され、前記第二の通信回路に接続された第一の状態センサ、
−前記取り外し可能部に配置され、前記第一通信回路に接続された第二の状態センサ、および／あるいは
−前記取り外し可能部内に配置され、前記第一の通信回路に接続された第二の記憶手段を含む。
好ましくは、前記第一の記憶手段は、前記固定部内に配置され、前記第二の通信回路に接続される。
好ましくは、前記第一の記憶手段は、前記通信網から初期動作パラメータを受信する。
前記取り外し可能部は、好ましくは、引出しタイプの回路ブレーカである。
本発明による電気開閉装置において用いられる通信回路の初期化手順によると、前記第一の通信回路は：
−第一のステップにおいて前記第二のアドレスの値を読み出し、
−第二のステップにおいて、前記第二のアドレスの有効性をチェックし、
−前記二のアドレスが有効である場合、第三のステップにおいて、前記通信アドレスを前記第二のアドレスの値にて初期化し、
−前記第二のアドレスが有効でない場合、第四のステップにおいて、前記第一のアドレスの値を読み出し、
−第五のステップにおいて、前記通信アドレスを前記第一のアドレスの値にて初期化する。
本発明による電気開閉装置の処理ユニットの動作手順は、
−前記パラメータセッティング手段のパラメータをチェックするステップ、
−前記パラメータが有効である場合に前記動作パラメータを回復するステップ、
−動作ステップ、および
−前記パラメータを前記パラメータセッティング手段内に格納するステップを含む。
【図面の簡単な説明】
他の長所および特徴が、制限ではなく単に一例として付録の図面と共に与えられた本発明の様々な実施例の以下の説明からより明白になる。
図１は、従来の技術による電気開閉装置の略図であり、
図２は、本発明の第一の実施例による電気開閉装置の略図であり、
図３は、本発明の第二の実施例による電気開閉装置の略図であり、
図４および図５は、本発明の第三の実施例による電気開閉装置の略図であり、
図６は、図４および図５の実施例において使用される通信回路の初期化流れ図であり、
図７は、本発明の実施例による電気開閉装置において使用される処理ユニットの初期化の流れ図であり、
図８は、本発明の好ましい実施例による電気開閉装置の略図である。
好ましい実施例の詳細な説明
図１の電気開閉装置は、固定部１と取り外し可能部２から構成される。固定部１は、配電システム４に固定的に接続された主コネクタ３と、通信網６に接続された補助コネクタ５を含む。配電システム４は、設備に、単相あるいは三相の直流あるいは交流電流を供給する。通信網６は、例えば、複数の電気開閉装置と、監視および表示ユニットに接続された２線バスである。
取り外し可能部２は、差込み（plug−in type）タイプの主コンタクト８に接続された回路ブレーカ、スイッチ、接触器等の電気ブレーカ装置７を含む。コンタクト８と主コネクタ３は、例えば、固定部（取り外し可能部）の交換の際に接続および切断（取り外し）が容易になるように機能する。
ブレーカ装置７は、動作デバイス９および処理ユニット10と連動する。処理ユニット10は、ユーザによってアクセス可能なセッティングデバイス11を含む。電流センサ12は、直列に主コンタクト８に接続され、処理ユニット10に、ブレーカ装置７に流れる電流を表す信号を供給する。
処理ユニットは、複数のセッティングパラメータを受信する。これらセッティングパラメータは、セッティングデバイス11によって供給される閾値および時間遅延値等であり、セッティングデバイス11は、例えば、スイッチ、押しボタン、読出し要素、ディスプレイ等から構成される。
取り外し可能部２内では、通信デバイス13が、処理ユニット10と、差込みタイプの補助コンタクト14に接続される。補助コンタクト14は、補助コネクタ５と協力し、接続および切断（取り外し）を容易にする。通信デバイス13は、補助コンタクト14および処理ユニット10に接続された通信回路15、および通信回路15に接続されたアドレス指定デバイス16を含む。処理ユニット10は、情報を供給すると共に、通信回路を介して送られるデータおよび動作指令を受信する。
通信回路は、通信アドレスADCOMを用いて、それが送信するメッセージに署名し、それが受信するメッセージを識別する。
電気開閉装置の取り外し可能部は、単純かつ高信頼に、迅速に取り替えおよび構成ができることが要求される。
図１に示すような周知の開閉装置では、取り外し可能部の取り替えに、処理ユニットおよびアドレス指定デバイスのパラメータの設定が必要となる。電気設備の動作の高い信頼性を保証すると共に、取り外し可能部の装着時間を低減するためには、取り替えが行なわれる度に、処理ユニットおよび／あるいは通信デバイスを再構成する必要性を排除することが望ましい。幾つかのケースにおいては、処理ユニットが、保守要員によっては直接にアクセスすることができないパラメータを持つ場合もある。
さらに、取り外し可能部の通信回路のアドレス指定を再構成できることも必要である。アドレスは、取り外し可能部が電気設備のどこに装着されるかに依存する。通常、取り外し可能部内のアドレス指定デバイスにアクセスすることは容易ではない。このアドレス指定デバイスの再構成のために、取り外し可能部の取り替えが複雑になる。
本発明による開閉装置は、固定部内に、取り外し可能部の処理ユニットや通信回路等の要素のパラメータを設定するためのパラメータセッティング手段を含む。
図２に示す本発明の第一の実施例によると、固定部１は、処理ユニット10に接続されるように設計された第一の記憶デバイス33を含む。記憶デバイス33と処理ユニットの間の接続は、接続および切断（取り外し）が容易なコネクタ36とコンタクト36によって達成される。
記憶デバイス33は、開閉装置が取り替えられる際に、処理ユニット10のパラメータを再設定するために用いられる。開閉装置が、回路ブレーカの場合は、記憶デバイスは、例えば、装置のタイプ、定格、電流閾値、時間遅延値、エネルギーあるいは遮断電流値等を表すパラメータを格納する。
新たな取り外し可能部が装着されたとき、固定部からこれらパラメータが新たな取り外し可能部に転送される。こうして、開閉装置の取り替えの際の煩雑なセッティング手続きは、もはや不要となり、装置の連続したサービスが効率的に保証される。
通信装置内では、処理ユニットは、通信ユニットを含み、あるいはこれと関連し、この通信ユニットのアドレス指定を再構成することが必要となる。
本発明のこの実施例においては、固定部１は、アドレス指定デバイス18を含み、これは、アドレスAD2を通信回路15に供給するように設計される。このアドレス指定デバイス18は、接続および切断（取り外し）が容易なコネクタ19とコンタクト20を介して通信回路15に接続される。
アドレス指定デバイス18を構成することは、電気設備に最初に電力が投入されたときに行われる。その後の取り外し可能部の取り替えの際は、アドレス指定デバイスは、もはや、構成の必要はなくなる。
処理ユニットが通信回路を含む場合は、動作パラメータは、処理ユニットセッティングパラメータあるいは通信回路アドレス指定パラメータである。記憶デバイスは、この場合は、通信回路にアドレスも供給する。こうして、パラメータセッティング手段は、記憶デバイスおよび／あるいはアドレス指定手段から成る。
図３に示す本発明の第二の実施例による開閉装置においては、固定部１は、通信回路16およびアドレス指定デバイス18を含む。
この実施例においては、処理ユニット10に供給されるべきパラメータを格納する記憶デバイス33が、固定部内に配置された通信回路16に接続される。こうして、これらパラメータは、通信回路16およびコネクタ21とコンタクト22を介して送信される。
通信回路16は、直接に通信網６に接続される。アドレス指定デバイス18は、アドレスAD2を通信回路16に供給する。取り外し可能部の処理ユニット10は、接続および切断（取り外し）が容易なコネクタ21とコンタクト22によって通信回路16に接続される。
本発明のこの実施例においては、取り外し可能部は、取り替えが行なわれる度に、アドレス指定デバイス18を再構成する必要がなく容易に取り替えができる。取り外し可能部の処理ユニット10は、変更を必要とされない固定部１の通信回路16に接続され、記憶デバイス33からパラメータを受信する。
取り外し可能部が、特に、処理ユニットおよび通信回路を持つ電子トリップデバイスから成る完全な回路ブレーカである場合、この部分も固定装置の形式にて実現することもできる。
電気開閉装置の製造の合理化のためには、同一の装置を永久的に、あるいは固定部との関連で取り替え可能な方法にて用いることが可能なことが望ましい。
図２あるいは図３に示す取り外し可能部２では、この二重の機能を直接に達成することはできない。つまり、第一の実施例の取り外し可能部２は、アドレス指定デバイスを持たず、第二の実施例の取り外し可能部２は、統合された通信回路を持たない。このため、第二の実施例の取り外し可能部２は、固定部なしに永久的に用いるためには追加の通信デバイスを必要とする。
図４および図５に示す本発明の第三の実施例による電気開閉装置においては、取り外し可能部２も電気設備内で永久的に用いることができる。
この実施例によると、取り外し可能部２は、第一の通信回路23および第一のアドレス指定デバイス24を含む。第一の通信回路23は、第一および第二のアドレス入力を持つ。第一のアドレス指定デバイス24は、通信回路23の第一のアドレス入力に接続され、通信回路23に第一のアドレスAD1を供給する。固定部１は、第二のアドレス指定デバイス18を含む。第二のアドレス指定デバイス18は、第一の通信回路23の第二のアドレス入力に接続され、通信回路23に第二のアドレスAD2を供給する。
この実施例によると、取り外し可能部２は、永久的な方法にて用いることもできる。取り外し可能部２が固定部１に接続されたとき、通信回路23は第二のアドレス指定デバイス18によって供給されるアドレス信号AD2を受信し、通信回路23は、このアドレスAD2を優先的に用いる。
部分２が、取り外し可能部としては用いられず、永久的な方法にて設置される場合は、アドレス信号AD2は存在しない。通信回路23は、アドレスAD2の不在を検出すると、第一のアドレス指定デバイス24によって供給されるアドレスAD1を選択する。
図６は、通信アドレスADCOMを選択するときに遂行される処理の流れ図を示す。
第一のステップ25において、通信回路23は、第二のアドレス入力におけるアドレスAD2を読み出す。次に、ステップ26においては、アドレスAD2の有効性をチェックする。アドレスAD2が有効である場合は、ステップ27において、通信アドレスADCOMをアドレスAD2を表す値に初期化する。
アドレスAD2が不在である場合、あるいは有効でない場合は、ステップ28において、通信回路23は、第一のアドレス入力を読み出す。次に、ステップ29において、通信アドレスADCOMをアドレスAD1を表す値に初期化する。
アドレスADCOMの値が初期化された後、ステップ30において、通信回路23は、このアドレスを使用して通信する。アドレスADCOMの初期化は、通信回路23の一般初期化の際に遂行される。
同様に、固定部から取り外し可能部２の処理ユニットへのセッティングパラメータの転送も、記憶デバイスおよび記憶デバイスに有効なパラメータが存在する場合にのみ有効となり、その他の場合は省略時のセッティングあるいはセッティングデバイス11による手動セッティングを用いて、処理ユニットのパラメータが設定される。
図７は、パラメータの変更の流れ図を示す。
取り外し可能部２を装着する際に、ステップ37において、処理ユニットは、省略時のセッティング値を持つ。次に、ステップ38において、取り外し可能部の記憶デバイスによって供給されるパラメータの存在あるいは有効性のテストが遂行される。パラメータが有効である場合は、ステップ39において、これらパラメータが回復される。次に、ステップ40において、パラメータが回復されたことが示される。
これらパラメータが不在あるいは有効でない場合は、ステップ41において、この事実が示され、ステップ42において、手動によりセッティングされる。
ステップ43におおいて、処理ユニットは、状況に応じて、省略時のセッティングパラメータ、手動にて設定されたパラメータ、あるいは取り外し可能部の記憶デバイスから回復されたパラメータに関して演算する。
ステップ44において、セッティングパラメータ、あるいは他の状態および動作パラメータが、自動的に、あるいはユーザによって変更される。次に、ステップ45において、これら新たなパラメータが、固定部の記憶デバイスに、その後、例えば、取り外し可能部２の取り替えの際に用いるために格納される。
図８は、第三の実施例の発展である本発明の第四の実施例を示す。固定部１は、第二の通信回路17および第二のアドレス指定デバイス18を含む。取り外し可能部２は、第一の通信回路23を含み、これは、２つのアドレス入力AD1およびAD2を持つ。第一のアドレス指定デバイス24は、第一のアドレスAD1を供給する。
固定部１内においては、第二の通信回路17が直接に通信網６に接続される。第二のアドレス指定デバイス18は、第三のアドレスAD3を第二の通信回路17に供給する。この実施例においては、第二の通信回路17は、第一の通信回路23に、第二のアドレスAD2の値を供給するアドレス出力を持つ。第二の通信回路17のアドレス出力と、第一の通信回路23の第二のアドレス入力との間の接続は、コネクト19とコンタクト20を介して行なわれる。
アドレスAD2の値は、第二のアドレス指定デバイス18によって供給されるアドレスAD3の値によって定義される。２つの通信回路17、23は、こうして、通信網６上で同一のアドレスを用いて通信する。通信回路23は、図４および５の通信回路23の場合と同様に、永久的な使用の場合は、アドレスAD1を用い、取り外し可能要素としての使用の場合は、アドレスAD2を用いる。
この実施例は、固定部１が、情報を通信網６に送信する必要がある場合は特に有効である。図８の固定部１は、第二の通信回路17の入力に接続された第一の状態センサ31を含む。これらセンサ31は、固定部に関する情報、例えば、取り外し可能部の存在あるいは不在に関する情報や、取り外し可能部を装着することを防止するロッキングに関する情報を供給する。
取り外し可能部２は、第一の通信回路23に接続された第二の状態センサ32を含む。第二のセンサ32は、通信回路23に、取り外し可能部の状態に関する情報を供給する。取り外し可能部２が、引外し回路ブレーカである場合は、センサ32は、通信回路23に、例えば、主コンタクトの開閉状態および／あるいは装置が開かれた原因を伝える。これら装置が開かれた原因には、例えば、手動による開放、故障におけるトリップデバイスによる開放、あるいは、遠隔制御あるいは補助回路による開放等が含まれる。
第三の実施例の発展である本発明の第四の実施例によると、第一の記憶回路33が第二の通信回路17に接続される。記憶回路33は、第一の通信回路23によって用いらように設計された初期化データおよび動作パラメータを格納する。
初期化パラメータには、例えば、処理ユニットのセッティングパラメータ、取り外し可能部の装置タイプの識別、定格および／あるいはその装置を流れた電流の最後の値等が含まれる。回路ブレーカの場合は、これらセッティングパラメータは、トリッピング曲線の閾値および時間遅延を定義するために用いられる。
通信回路23の初期化に当たって、第二の通信回路17は、アドレス値AD2を第一の通信回路23に供給し、記憶回路33内のデータを読み出し、これらデータを第一の通信回路23に供給する。第一の通信回路23は、これを用いて、データおよび動作パラメータの初期化する。
取り外し可能部２は、第一の通信回路23に接続された第二の記憶回路34を備える。第二の記憶回路34は、第一の記憶回路33によって供給されるデータを格納する。
初期化データは、処理ユニットによって生成あるいは変更される。例えば、処理ユニットは、第一の取り外し可能部２の第一の通信回路23の最初の初期化の際に第一の通信回路23に初期化データを送信する。次に、通信回路23は、これらデータを第二の記憶回路34に格納および／あるいは固定部の通信回路17に送信する。通信回路17は、これらデータを関連する記憶回路33に格納する。
取り外し可能部２の取り替えあるいは新たな接続が行なわれるとき、通信回路17は、アドレスAD2、および記憶回路33に格納されているデータを、新たな通信回路23に送信する。通信回路23は、これら動作パラメータを初期化し、データを関連する記憶回路34に格納し、通信網６および処理ユニット10と通信する。
データを処理ユニット10に送信することができ、また、処理ユニット10によって供給された新たなデータを修正あるいは既に格納されているデータに追加することができる。
初期化データは、処理ユニット10の代わりに初期化デバイスによって供給することも、あるいは通信網６を介して受信することもできる。
取り外し可能部は、好ましくは、サポートやフレーム等の固定部に装着することができる回路ブレーカあるいは引出しタイプのスイッチである。しかしながら、本発明は他の電気的スイッチ回路装置にも適用することができる。
上述の本発明の様々な実施例においては、取り外し可能部の通信回路と固定部の要素との間の接続は、コネクタ５、19、21と、電気コンタクト14、20、22を用いて達成された。ただし、別の方法として、取り外し可能部の通信回路と固定部の要素の間に、電気的に絶縁な接続、例えば光結合あるいは電磁放射を用いて本発明による装置を実現することも可能である。
【図１】
0003602144.tif 000002
【図２】
0003602144.tif 000003
【図３】
0003602144.tif 000004
【図４】
0003602144.tif 000005
【図５】
0003602144.tif 000006
【図６】
0003602144.tif 000007
【図７】
0003602144.tif 000008
【図８】
0003602144.tif 000009